(57)【要約】      （修正有）【課題】電気機器の薄形化が図れる端子装置、この端子装置を用いる電気機器およびこの電気機器を具備する電気機器、照明器具を提供する。【解決手段】電気装置１は、一端側２ａおよび他端側２ｂにそれぞれ入力電極パターン７および出力電極パターン８が形成され、少なくとも一面２ｃに回路部品６が実装された回路基板２と、回路基板２の一端側２ａおよび他端側２ｂがそれぞれ挿入開口１７，１７に挿入された端子装置４，５と、長方形の筒状に形成され、端子装置４，５の端子部材１０の一面側が突出するように回路基板２および端子装置３，４を収容しているケース５とを具備している。【選択図】図１
2012014967.tif 000002
【特許請求の範囲】
【請求項１】
一面側にリード線が挿入される挿通孔が形成され、他面側に回路基板が挿入される挿入開口が形成された樹脂製の端子部材と；
この端子部材の前記挿通孔に挿入されたリード線の導電部を挟持して電気接続し、前記挿入開口に挿入された回路基板の端部に形成された電極パターンを狭持して電気接続し、リード線と回路基板の電極パターンとを電気接続するように端子部材内に収容された導電部材と；
を具備していることを特徴とする端子装置。
【請求項２】
一端側および他端側に入力電極パターンおよび出力電極パターンがそれぞれ形成され、少なくとも一面に回路部品が実装された回路基板と；
この回路基板の前記一端側および前記他端側がそれぞれ前記挿入開口に挿入された一対の請求項１記載の端子装置と；
長方形の筒状に形成され、前記端子装置の端子部材の一面側が露出または突出するように前記回路基板および前記端子装置を収容しているケースと；
を具備していることを特徴とする電気装置。
【請求項３】
一端側に入力電極パターンおよび出力電極パターンが形成され、少なくとも一面に回路部品が実装された回路基板と；
この回路基板の前記一端側が前記挿入開口に挿入された請求項１記載の端子装置と；
前記回路基板の他端側が挿入される挿入孔が形成された樹脂製の支持部材と、この支持部材の挿入孔に挿入される前記回路基板の他端側を挟持するように支持部材内に収容された狭持部材とを有し、支持部材の挿入孔に前記回路基板の他端側が挿入されて当該他端側を狭持している支持装置と；
長方形の筒状に形成され、前記端子装置の端子部材の一面側が露出または突出するように前記回路基板、前記端子装置および前記支持装置を収容しているケースと；
を具備していることを特徴とする電気装置。
【請求項４】
端子装置は、前記他面側に係止部が設けられ、前記回路基板は、一端側および他端側に前記係止部が係止される被係止部が設けられていることを特徴とする請求項２または３記載の電気装置。
【請求項５】
請求項２ないし４いずれか一記載の電気装置と；
この電気装置により駆動される負荷と；
前記電気装置および前記負荷を配設している電気機器本体と；
を具備していることを特徴とする電気機器。
【請求項６】
可視光を放射する照明負荷と；
この照明負荷を点灯するように形成された請求項２ないし４いずれか一記載の電気装置と；
一端側に可視光を放射可能に前記照明負荷が配設され、内部に前記電気装置が収容されている器具本体と；
を具備していることを特徴とする照明器具。
【発明の詳細な説明】
【技術分野】
【０００１】
本発明の実施形態は、端子装置、この端子装置を用いる電気装置およびこの電気装置を具備する電気機器、照明器具に関する。
【背景技術】
【０００２】
電気機器において、負荷は、電気装置により駆動、制御されている。この電気装置は、回路基板（プリント基板）に回路部品や端子台などを実装して構成されている。端子台は、例えば、入力用端子台が回路基板の一端側に、出力用端子台が回路基板の他端側にそれぞれ設けられるものがある（例えば特許文献１参照。）。
【先行技術文献】
【特許文献】
【０００３】
【特許文献１】特開２０１０−６７８８５号公報（第５頁、第１図）
【発明の概要】
【発明が解決しようとする課題】
【０００４】
端子台は、通常、回路基板の一面に搭載され、当該一面の反対側の他面ではんだ付けされるため、回路基板の厚さに端子台の高さ寸法およびはんだの厚さ寸法次第では、電気機器の高さ寸法が大きくなる部分があり、電気機器の薄形化に影響しやすい。
【課題を解決するための手段】
【０００５】
本発明の実施形態の端子装置は、端子部材および導電部材を有して構成される。
【０００６】
端子部材は、導電部材を収納するものであり、電気絶縁性の樹脂からなり、一面に挿通孔、他面に挿入開口がそれぞれ形成されている。挿通孔には、リード線が挿入され、挿入開口には、回路基板の長手方向の端部が挿入される。挿通孔は、通常、複数個が形成される。
【０００７】
導電部材は、端子部材の挿通孔に挿入されるリード線の導電部と、挿入開口に挿入される回路基板に形成された電極パターンとを電気接続するものである。
【０００８】
本発明の実施形態の電気装置は、前記端子装置、回路基板およびケースを有して構成される。
【０００９】
回路基板は、長尺形の長手方向の一端側および他端側に入力電極パターンおよび出力電極パターンがそれぞれ形成されている。そして、負荷を駆動、制御する電気回路を形成する回路部品が少なくとも一面側に実装されている。
【００１０】
端子装置は、回路基板の一端側および他端側に接続される一対からなる。
【００１１】
ケースは、長方形の筒状に形成されている。そして、回路基板および端子装置を収容するとともに、端子装置の端子部材の一面側をケースから露出または突出させている。
【００１２】
また、他の実施形態の電気装置においては、回路基板は、長尺形の長手方向の一端側に入力電極パターンおよび出力電極パターンが形成されている。端子装置は、回路基板の一端側が挿入開口に挿入された１個からなる。そして、回路基板の他端側を挿入する支持装置が設けられている。
【００１３】
支持装置は、樹脂製の支持部材および挟持部材を有して構成される。支持部材は、回路基板の他端側が挿入される挿入孔が形成されている。挟持部材は、支持部材の挿入孔に挿入された回路基板の他端側を挟持する。
【００１４】
本発明の実施形態の電気機器は、前記電気装置、この電気装置により駆動される負荷および電気装置および負荷を配設している電気機器本体を有して構成される。
【００１５】
本発明の実施形態の照明器具は、可視光を放射する照明負荷、この照明負荷を点灯するように形成された前記電気装置および一端側に可視光を放射可能に照明負荷が配設され、内部に電気装置が収容されている器具本体を有して構成される。
【発明の効果】
【００１６】
本発明によれば、電気装置は、リード線と回路基板の電極パターンとを電気接続する端子装置を備えるので、ケースの高さ寸法が端子装置の高さ寸法によって制限されなくなり、電気装置の薄形化を図ることが可能である。
【図面の簡単な説明】
【００１７】
【図１】本発明の実施例１を示す電気装置の概略分解斜視図である。
【図２】同じく、電気装置の概略側断面図である。
【図３】同じく、端子装置の概略側断面図である。
【図４】本発明の実施例２を示す電気装置の概略分解斜視図である。
【図５】同じく、電気装置の概略側断面図である。
【図６】本発明の実施例３を示す電気機器のブロック図である。
【図７】本発明の実施例４を示す照明器具の概略正面断面図である。
【図８】同じく、照明器具の概略側面図である。
【発明を実施するための形態】
【００１８】
以下、本発明の一実施の形態について、図面を参照して説明する。
【実施例１】
【００１９】
本発明の実施例１を示す電気装置１は、図１ないし図３に示すように構成される。図１において、電気装置１は、回路基板２、端子装置３，４およびケース５を有して形成されている。
【００２０】
回路基板２は、例えばガラスエポキシ材からなり、略長方形である長尺形に形成されている。そして、一面２ｃには、負荷を駆動させる電気回路を形成する多数の回路部品６が実装されている。各回路部品６は、図示しない銅箔からなる配線パターンにより電気接続されている。回路基板２の長手方向の一端側２ａおよび他端側２ｂは、中央部よりも幾分幅小に形成されている。
【００２１】
そして、回路基板２は、一面２ｃであって、長手方向の一端側２ａの端部に銅箔からなる入力電極パターン７が幅方向に３列形成されている。この３列の入力電極パターン７のうち、２列の入力電極パターン７ａ，７ｂは、交流電源入力用の端子であり、１列の入力電極パターン７ｃは、アース用の端子となっている。また、一面２ｃであって、長手方向の他端側２ｂの端部には、銅箔からなる出力電極パターン８が幅方向に４列形成されている。入力電極パターン７および出力電極パターン８は、端子装置３，４により挟持される挟持部分に形成されるものである。
【００２２】
また、回路基板２の一端側２ａおよび他端側２ｂの側部には、それぞれ被係止部としての半円形の嵌合切欠９，９が形成されている。なお、回路基板２は、一面２ｃの反対側の他面（裏面）にも回路部品６を実装していてもよい。回路部品６は、面実装形が好ましく、ディスクリート部品の場合には、高さ寸法を抑えるために、その長手方向が一面２ｃと略平行となるように実装されるのが好ましい。
【００２３】
端子装置３は、回路基板２の一端側２ａに接続される。端子装置３は、図３に示すように、端子部材１０および導電部材１１，１１を有して構成されている。
【００２４】
端子部材１０は、例えばポリブチレンテレフタレート（ＰＢＴ）樹脂からなり、内部に空間（空洞）１４を有する略直方体形状に形成されている。そして、外面１０ａは、周回に亘って一端側１０ｃと、この一端側１０よりも縮径された他端側１０ｄとが段差１５を形成するように設けられている。段差１５は、ケース５の厚さに相当する大きさとなっている。
【００２５】
そして、端子部材１０は、一端側１０ｃの一面（端面）１０ｅにリード線が挿入される円形の挿通孔１６が形成されている。挿通孔１６は、回路基板２に入力される交流電源の入力線およびアース線に対応して設けられ、端子部材１０の幅方向に３個が形成されている。また、一面１０ｅと反対側の他端側１０ｄの他面（端面）１０ｆに回路基板２が挿入されるスリット状の挿入開口１７が形成されている。挿入開口１７は、回路基板２が挿入できる大きさに形成されている。挿通孔１６および挿入開口１７は、互いに正対し、端子部材１０の上面１０ｇおよび下面１０ｈの中間位置に形成されている。
【００２６】
導電部材１１，１１は、所定幅を有する銅板からなり、連結部１２により正対するように連結されているとともに、３個の挿通孔１６に対応するように３組設けられている。また、導電部材１１，１１は、端子部材１０の上面１０ｇおよび下面１０ｈのそれぞれの反対側の内面１０ｂに固着された直方体形状の固定部材１３，１３にそれぞれ図示しない固定手段により固定されている。連結部１２は、挿通孔１６に挿入されるリード線の挿入を位置規制することも可能である。
【００２７】
そして、導電部材１１，１１の挿通孔１６側および挿入開口１７側は、弾性変形可能であって自己鎖錠端子として機能するように、その先端が内側に向いたカール状に形成されている。導電部材１１，１１は、挿通孔１６に挿入されたリード線の導電部を挟持して電気接続し、挿入開口１７に挿入された回路基板２の一端側２ａを挟持してこの挟持部分に形成されている入力電極パターン７に電気接続する。このように、端子装置３は、リード線の導電部と回路基板２の入力電極パターン７とを電気接続して、交流電源を回路基板２に入力させるものである。
【００２８】
また、端子部材１０の両側面１０ｉ，１０ｉ（図３中、一方の側面１０ｉのみ示す。）の他端側１０ｄ（挿入開口１７側）には、回路基板２の嵌合切欠９，９に嵌合して係止される係止部としての凸部１８，１８が形成されている。この凸部１８，１８は、側面１０ｉの外面１０ａ側から設けられ、挿入開口１７に挿入された回路基板２に当接したときに外面１０ａ側に弾性変形し、嵌合切欠９，９に嵌合して回路基板２を係止する。これにより、端子装置３と回路基板２とは、機械的にも接続され、容易に取り外れなくなる。
【００２９】
図１において、端子装置４は、回路基板２の他端側２ｂに接続される。端子装置４は、回路基板２の出力電極パターン８が４個形成されているのに対応して、導電部材１１，１１が幅方向に４組設けられ、リード線が挿入される挿通孔１６が幅方向に４個設けられ点を除いて、端子装置３と同様に形成されている。端子装置４は、リード線の導電部と回路基板２の出力電極パターン８とを電気接続して、電気装置１の出力を負荷に供給させるものである。なお、端子装置３，４には、リード線の導電部材１１，１１による挟持（鎖錠）を容易に解除できる図示しない解除機構が設けられている。
【００３０】
ケース５は、金属例えばアルミニウム（Ａｌ）により形成され、回路基板２および端子装置３，４の段部１５よりも他端側１０ｄ，１０ｄを収容可能に長方形の筒状に形成されている。そして、図２に示すように、回路基板２および端子装置３，４の他端側１０ｄ，１０ｄを収容し、端子装置３，４の一端側１０ｃ，１０ｃをケース５から突出させている。
【００３１】
電気装置１は、例えば回路基板２の他端側２ｂに端子装置４を接続した後、回路基板２をその一端側２ａからケース５の内部に挿入し、ケース５の内部において、回路基板２の一端側２ａに端子装置３を接続することにより、組み立てられる。ケース５の外面５ａと、端子装置３，４の端子部材１０の外面１０ａは、ほぼ面一となっている。そして、端子装置３，４の凸部１８，１８と、回路基板２の嵌合切欠９，９が嵌合して互いに係止され、端子装置３，４の段部１５，１５がケース５の端面５ｂ，５ｂに当接しているので、電気装置１は、例え振動等が加わっても容易に分解されないものである。
【００３２】
次に、本発明の実施例１の作用について述べる。
【００３３】
図２において、端子装置３の挿通孔１６に交流電源に接続されている電源線１９が挿入され、その導電部１９ａが導電部材１１，１１に電気接続されると、電源線１９は、回路基板２の入力電極パターン７に電気接続される。そして、端子装置４の挿通孔１６に負荷に接続されている出力線２０が挿入され、その導電部２０ａが導電部材１１，１１に電気接続されると、出力線２０は、回路基板２の出力電極パターン８に電気接続される。
【００３４】
そして、交流電源が投入されると、回路基板２の回路部品６が動作し、回路部品６により形成された電気回路が所定の電力を出力電極パターン８に出力する。この出力は、出力線２０を介して負荷に供給され、負荷が駆動する。
【００３５】
本実施形態の電気装置１は、端子部材１０の挿通孔１６に挿入されるリード線としての電源線１９の導電部１９ａを挟持して電気接続し、挿入開口１７に挿入される回路基板２を挟持して入力電極パターン７に電気接続し、電源線１９の導電部１９ａと回路基板２の入力電極パターン７とを電気接続する導電部材１１，１１を有する端子装置３と、端子部材１０の挿通孔１６に挿入されるリード線としての出力線２０の導電部２０ａを挟持して電気接続し、挿入開口１７に挿入される回路基板２を挟持して出力電極パターン８に電気接続し、出力線２０の導電部２０ａと回路基板２の出力電極パターン８とを電気接続する導電部材１１，１１を有する端子装置４とを具備するので、回路基板２の一端側２ａおよび他端側２ｂに端子台等を設けなく、ケース５の外面５ａと端子装置３，４の外面１０ａをほぼ同一面とすることができて、ケース５の高さ寸法を端子装置３，４の高さ寸法によって制限されなくすることができ、これにより、電気装置１を薄形化することができる。
【００３６】
また、回路基板２と、端子装置３，４とは、凸部１８，１８および嵌合切欠９，９で係止されるので、振動等によって両者が容易に取り外れなくすることができる。
【００３７】
また、回路基板２の両端側２ａ，２ｂを電気絶縁製の端子装置３，４の挿通開口１７，１７で支持するので、回路基板２のケース５での支持が不要であり、回路基板２の配設を簡素化できるとともに、回路基板２の金属製のケース５に対する絶縁スペースも不要となって、回路部品６の実装効率を向上できるという効果を奏する。
【００３８】
なお、端子装置３，４は、ケース５の両端面５ｂ，５ｂに端子部材１０の一面１０ｅ側が露出するように、ケース５内に挿入されるように形成されてもよい。
【００３９】
また、端子装置３，４に形成される係止部は、凸部１８でなく係止片に、回路基板２に形成される被係止部は、嵌合切欠９でなく、孔（開口）に形成されてもよい。
【００４０】
また、回路基板２の入力電極パターン７には、アース線用の入力電極パターン７ｃの他に、信号用の入力電極パターンを設けることができる。
【実施例２】
【００４１】
図４および図５は、本発明の実施例２を示し、図４は電気装置の概略分解斜視図、図５は電気装置の概略側断面図である。なお、図１および図２と同一部分には、同一符号を付して説明は省略する。
【００４２】
図４に示す電気装置２１は、回路基板２２、端子装置２３、支持装置２４およびケース２５を有して構成されている。
【００４３】
回路基板２２は、図１に示す回路基板２よりも幅広に形成され、その一端側２２ａに入力電極パターン７および出力電極パターン８が形成され、その他端側２２ｂには、電極パターンは形成されず、被係止部としての嵌合切欠９，９が形成されている。回路基板２２は、その一端側２２ａおよび他端側２２ｂが中央部よりも幾分幅小に形成されている。他の構成要素は、回路基板２と同様にして形成されている。
【００４４】
端子装置２３は、端子部材２６および導電部材１１，１１を有して形成されている。端子部材２６の一端側２６ｃの一面（端面）２６ｅにリード線としての電源線１９およびアース線さらに出力線２０が挿入される挿通孔１６が合計７個形成されている。そして、端子部材２６の他端側２６ｄの他面（端面）２６ｆに、図５に示すように、回路基板２２の一端側２２ａが挿入されるスリット状の挿入開口２７が形成されている。
【００４５】
支持装置２４は、支持部材２８および挟持部材２９，２９を有して形成されている。支持部材２８は、例えばポリブチレンテレフタレート（ＰＢＴ）樹脂からなり、内部に空間（空洞）３２を有する略直方体形状に形成されている。そして、外面２８ａは、周回に亘って一端側２８ｃと、この一端側２８ｃよりも縮径された他端側２８ｄとが段差３３を有するように形成されている。段差３３は、ケース２５の厚さに相当する大きさとなっている。
【００４６】
そして、支持部材２８は、一端側２８ｃの一面（端面）２８ｅが閉塞され、他端側２８ｄの他面（端面）２８ｆに回路基板２２の他端側２２ｂが挿入されるスリット状の挿入孔３４が形成されている。挿入孔３４は、回路基板２２の他端側２２ｂが挿入できる大きさに形成されている。
【００４７】
挟持部材２９，２９は、所定の幅を有する金属板からなり、連結部３０を介して互いに正対するように設けられている。また、挟持部材２９，２９は、支持部材２８に固着された直方体形状の固定部材３１，３１にそれぞれ図示しない固定手段により固定されている。
【００４８】
そして、挟持部材２９，２９の挿入口３４側は、弾性変形可能であって自己鎖錠端子として機能するように、その先端が内側に向いたカール状に形成されている。挟持部材２９，２９は、挿入孔３４に挿入された回路基板２２の他端側２２ｂを挟持する。
【００４９】
また、支持部材２８には、図１に示す端子装置４と同様に、回路基板２２の嵌合切欠９，９に嵌合して係止される係止部としての凸部１８，１８が形成されている。支持装置２４および端子装置２３は、回路基板２２を支持する。なお、支持装置２４を用いずに、端子装置２３を回路基板２２の他端側２２ｂに接続してもよい。
【００５０】
ケース２５は、図１に示すケース５よりも幅広に形成されたものであり、ケース５と同様に形成されている。ケース２５の外面２５ａと、端子装置２３の外面２６ａおよび支持装置２４の外面２８ａとは、ほぼ同一面となっている。
【００５１】
本実施形態の電気装置２１は、長手方向の一端側２２ａに入力電極パターン７および出力電極パターン８が形成された回路基板２２を有するとともに、回路基板２２の一端側２２ａが挿入される端子装置２３および回路基板２２の他端側２２ｂが挿入される支持装置２４を具備するので、高さ方向を薄形化することができるとともに、１個の端子装置２３から電源線１９および出力線２０を導出させることができる。
【実施例３】
【００５２】
図６は、本発明の実施例３を示す電気機器のブロック図である。なお、図１と同一部分には、同一符号を付して説明は省略する。
【００５３】
図６に示す電気機器３５は、送風装置であり、例えば建物や地下廊の壁面に設置される。図１に示す電気装置１、負荷３６および電気機器本体３７を有して構成されている。
【００５４】
電気装置１は、温度センサや湿度センサなどのセンサ装置３８に接続され、電気機器３５の周囲温度や湿度に応じて、負荷３６への電力供給を調整する。負荷３４は、複数個のファンによって構成され、電気装置１により駆動される。すなわち、電気装置１の出力に応じて、ファンを回転または停止し、ファンの回転数を変化される。
【００５５】
電気機器本体３７は、送風口を有する箱状に形成され、電気装置１、負荷３６およびセンサ装置３８を配設して、壁面に固定されている。
【００５６】
本実施形態の電気機器３５は、電気装置１が薄形に形成されるので、電気機器本体３７を薄形に形成することができて、壁面に設置されているときの外観が向上するとともに、障害物や干渉物になり難いという効果を有する。
【００５７】
なお、電気機器は、本実施形態の電気機器３５に限定されるものではなく、本発明の電気装置、この電気装置により駆動される負荷および当該電気装置および前記負荷を配設している電気機器本体を具備していればよいものである。
【実施例４】
【００５８】
図７および図８は、本発明の実施例４を示し、図７は照明器具の概略正面断面図、図８は照明器具の概略側面図である。なお、図１と同一部分には、同一符号を付して説明は省略する。
【００５９】
図７に示す照明器具３９は、天井面などに直付けされる直付け照明器具であり、器具本体４０と、この器具本体４０に取り付けられた光源ユニット４１に形成されている。器具本体４０および光源ユニット４１は、それぞれ長方形の箱状に形成されている。器具本体４０は、その長手方向の大きさが光源ユニット４１とほぼ同等に形成されているが、その短手方向の大きさは、図８に示すように、光源ユニット４１よりも小さく形成されている。光源ユニット４１は、器具本体４０の一端側４０ａであって光源ユニット４１の長手方向の両端側４１ａ，４１ｂにおいて、複数個のねじ４２により器具本体４０に取り付けられている。
【００６０】
図７において、光源ユニット４１は、照明負荷としての発光ダイオード４３を格子状に多数配設している。発光ダイオード４３は、可視光を放射するように形成されている。そして、光源ユニット４１は、その開口側４１ｃに透光性カバー４４を配設している。発光ダイオード４３から放射された可視光は、透光性カバー４４を透過して床面側に放射される。すなわち、発光ダイオード４３は、床面側に可視光を放射可能に配設されている。
【００６１】
器具本体４０は、その内部に図１に示す電気装置１を収容している。電気装置１は、発光ダイオード４３を点灯する点灯装置に形成されている。
【００６２】
本実施形態の照明器具３９は、薄形化される電気装置１が器具本体４０に収容されているので、全体を薄形化することが可能である。
【００６３】
なお、本実施形態の照明器具は、直付け形照明器具に限らず、吊り下げ形照明器具や埋込形照明器具などに構成されてもよい。
【符号の説明】
【００６４】
１，２１…電気装置、  ２，２２…回路基板、  ３，４，２３…端子装置、  ５，２５…ケース、  １０，２６…端子部材、  １１，１１…導電部材、  ２４…支持装置、  ３５…電気機器、  ３６…負荷、  ３７…電気機器本体、  ３９…照明器具、  ４０…器具本体、  ４３…照明負荷としての発光ダイオード
【図１】
2012014967.tif 000003
【図２】
2012014967.tif 000004
【図３】
2012014967.tif 000005
【図４】
2012014967.tif 000006
【図５】
2012014967.tif 000007
【図６】
2012014967.tif 000008
【図７】
2012014967.tif 000009
【図８】
2012014967.tif 000010